(57)【要約】アダプタ（２）のコネクタ（３３）の受け部（３３３）は、ベース部材（３５）の孔（３５３Ａ）に挿入されてコネクタ（３３）を遊嵌状態で保持する突出部（遊嵌部）（３３３Ｂ）を備えている。この突出部（３３３Ｂ）の径寸法（Ｌ３）は、ベース部材（３５）の孔（３５３Ａ）の径寸法（Ｌ４）よりも小さい。また、孔（３５３Ａ）への挿入方向に沿った長さの寸法（Ｌ５）は、ベース部材（３５）のコネクタ取付面部（３５３）の厚さ寸法よりも大きくなっている。  また、アダプタ（２）のコネクタ（３２）は、ベース部材（３５）の切込部（３５３Ｂ）に挿入される挿入部（３２３）を備えている。挿入部（３２３）の挿入部本体（３２３Ａ）の延出方向の長さ寸法（Ｌ８）は、コネクタ取付面部（３５３）の厚さ寸法（Ｌ９）よりも長く、また、その幅寸法（Ｌ６）は、切込部（３５３Ｂ）の幅寸法（Ｌ７）よりも小さい。
2004084360.tif 000002
【特許請求の範囲】
【請求項１】
電子機器と、この電子機器に接続される他の電子機器とを複数のコネクタを介して相互に接続する接続装置であって、
前記複数のコネクタのうち、少なくとも何れか一つのコネクタが取り付けられるベース部材と、このベース部材に取り付けられる前記コネクタに形成された受け部に取り付けられ、前記ベース部材に係合する係合部材とを備え、
前記受け部及び前記係合部材のうち少なくとも何れか一方には、前記ベース部材の孔に挿入され、径寸法がこの孔の径寸法より小さく、かつ、前記孔への挿入方向に沿った長さ寸法が前記ベース部材の厚さ寸法よりも大きい遊嵌部が形成されており、
この遊嵌部は、前記受け部に係合部材を取り付けた際に、前記ベース部材に対して前記コネクタを遊嵌状態で保持することを特徴とする接続装置。
【請求項２】
請求項１に記載の接続装置において、
前記係合部材は、前記受け部に螺合により取り付けられ、この受け部に螺合する螺合軸部を備え、
前記遊嵌部は、この螺合軸部の挿入方向基端側に設けられるとともに、前記螺合軸部よりも大きな径を有するものであることを特徴とする接続装置。
【請求項３】
請求項１に記載の接続装置において、
前記係合部材は、前記受け部に螺合により取り付けられ、
前記遊嵌部は、前記コネクタに設けられるとともに、前記ベース部材の孔に挿入され、この孔から突出する突出部であることを特徴とする接続装置。
【請求項４】
電子機器と、この電子機器に接続される他の電子機器とを複数のコネクタを介して相互に接続する接続装置であって、
前記複数のコネクタのうち、少なくとも何れか一つのコネクタが取り付けられるベース部材を備え、
このベース部材の前記コネクタが取り付けられるコネクタ取付面部には、その端部から内側に向かって切り込まれた切込部が形成され、
前記ベース部材に取り付けられるコネクタは、ベース部材のコネクタ取付面部の表面側に位置するハウジング本体と、このハウジング本体に設けられ、前記コネクタ取付面部の端部側から前記切込部に挿入される挿入部とを備え、
前記挿入部は、前記ハウジング本体からコネクタ取付面部と略直交する方向に延びて前記切込部を貫通する挿入部本体と、この挿入部本体の延出方向先端側に設けられ、前記ベース部材のコネクタ取付面部の裏面で係合する係合部とを備え、
前記挿入部本体の延出方向と直交する幅寸法は、前記切込部の切込方向と直交する幅寸法よりも小さく、前記挿入部本体の延出方向の長さ寸法は、前記ベース部材のコネクタ取付面部の厚さ寸法よりも大きいことを特徴とする接続装置。
【請求項５】
請求項４に記載の接続装置において、
前記ベース部材は、前記コネクタ取付面部から面外方向に折り返された折り返し面部を有し、
前記切込部は、前記コネクタ取付面部及び前記折り返し面部の稜線から一方の端部が前記コネクタ取付面部内側に切り込まれ、他方の端部が前記折り返し面部に達するとともに、折り返し面部に形成された部分の切込方向に直交する幅寸法が前記コネクタ取付面部内側に切込まれた一方の端部の幅寸法よりも大きくなっており、
前記コネクタの挿入部は、前記切込部の前記折り返し面部側から挿入され、
前記コネクタは、前記折り返し面部と当接し、装着されたコネクタがベース部材から脱落することを防止する脱落防止部を備えていることを特徴とする接続装置。
【請求項６】
請求項５に記載の接続装置において、
前記挿入部及び脱落防止部は、前記ハウジング本体に一体的に形成されていることを特徴とする接続装置。
【請求項７】
請求項１から請求項６の何れかに記載の接続装置において、
前記複数のコネクタは、前記ベース部材の同一面側に配置されていることを特徴とする接続装置。
【請求項８】
請求項１から請求項７の何れかに記載の接続装置において、
前記複数のコネクタのうち、少なくとも一つのコネクタは、その取付位置が固定されていることを特徴とする接続装置。
【請求項９】
コネクタと、このコネクタが取り付けられるベース部材とを備えたコネクタユニットであって、
前記コネクタに形成された受け部に取り付けられ、前記ベース部材に係合する係合部材を備え、
前記受け部及び前記係合部材のうち少なくとも何れか一方には、前記ベース部材の孔に挿入され、径寸法がこの孔の径寸法より小さく、かつ、前記孔への挿入方向に沿った長さ寸法が前記ベース部材の厚さ寸法よりも大きい遊嵌部が形成されており、
この遊嵌部は、前記受け部に係合部材を取り付けた際に、前記ベース部材に対して前記コネクタを遊嵌状態で保持することを特徴とするコネクタユニット。
【請求項１０】
コネクタと、このコネクタが取り付けられるベース部材とを備えたコネクタユニットであって、
前記ベース部材は、前記コネクタが取り付けられるコネクタ取付面部を有し、このコネクタ取付面部には、その端部から内側に向かって切り込まれた切込部が形成され、
前記コネクタは、ベース部材に取り付けられた際にコネクタ取付面部の表面側に位置するハウジング本体と、このハウジング本体に設けられ、前記コネクタ取付面部の端部側から前記切込部に挿入される挿入部とを備え、
前記挿入部は、前記ハウジング本体からコネクタ取付面部と略直交する方向に延びて前記切込部を貫通する挿入部本体と、この挿入部本体の延出方向先端側に設けられ、前記ベース部材のコネクタ取付面部の裏面で係合する係合部とを備え、
前記挿入部本体の延出方向と直交する幅寸法は、前記切込部の切込方向と直交する幅寸法よりも小さく、
前記挿入部本体の延出方向の長さ寸法は、前記ベース部材のコネクタ取付面部の厚さ寸法よりも大きいことを特徴とするコネクタユニット。
【請求項１１】
ベース部材に取り付けられるコネクタであって、
前記ベース部材は、前記コネクタが取り付けられるコネクタ取付面部を有し、
このコネクタ取付面部の表面側に位置するハウジング本体と、このハウジング本体に設けられ、前記コネクタ取付面部の端部側からこのコネクタ取付面部に形成された切込部に挿入される挿入部とを備え、
前記挿入部は、前記ハウジング本体から、コネクタ取付面部と略直交する方向に延びて前記切込部を貫通する挿入部本体と、この挿入部本体の延出方向先端側に設けられ、前記ベース部材のコネクタ取付面部の裏面で係合する係合部とを備え、
前記挿入部本体の延出方向と直交する幅寸法は、前記切込部の切込方向と直交する幅寸法よりも小さく、前記挿入部本体の延出方向の長さ寸法は、前記ベース部材のコネクタ取付面部の厚さ寸法よりも大きいことを特徴とするコネクタ。
【請求項１２】
コネクタと、このコネクタが取り付けられるベース部材とを有するコネクタユニットを備えた電子機器であって、
前記コネクタユニットは、前記コネクタに形成された受け部に取り付けられ、前記ベース部材に係合する係合部材とを備え、
前記受け部及び前記係合部材のうち少なくとも何れか一方には、前記ベース部材の孔に挿入され、径寸法がこの孔の径寸法より小さく、かつ、前記孔への挿入方向に沿った長さ寸法が前記ベース部材の厚さ寸法よりも大きい遊嵌部が形成されており、
この遊嵌部は、前記受け部に係合部材を取り付けた際に、前記ベース部材に対して前記コネクタを遊嵌状態で保持することを特徴とする電子機器。
【請求項１３】
コネクタと、このコネクタが取り付けられるベース部材とを有するコネクタユニットを備えた電子機器であって、
前記コネクタユニットのベース部材は、前記コネクタが取り付けられるコネクタ取付面部を有し、このコネクタ取付面部には、その端部から内側に向かって切り込まれた切込部が形成され、
前記コネクタは、ベース部材に取り付けられた際にコネクタ取付面部の表面側に位置するハウジング本体と、このハウジング本体に設けられ、前記コネクタ取付面部の端部側から前記切込部に挿入される挿入部とを備え、
前記挿入部は、前記ハウジング本体からコネクタ取付面部と略直交する方向に延びて前記切込部を貫通する挿入部本体と、この挿入部本体の延出方向先端側に設けられ、前記ベース部材のコネクタ取付面部の裏面で係合する係合部とを備え、
前記挿入部本体の延出方向と直交する幅寸法は、前記切込部の切込方向と直交する幅寸法よりも小さく、
前記挿入部本体の延出方向の長さ寸法は、前記ベース部材のコネクタ取付面部の厚さ寸法よりも大きいことを特徴とする電子機器。
【発明の詳細な説明】
【技術分野】  本発明は接続装置、コネクタユニット、コネクタ、電子機器に関する。
【背景技術】  従来、エンタテインメント装置等では、エンタテインメント装置本体としての第一の電子機器と、この第一の電子機器と接続される第二の電子機器、例えば、第一の電子機器の記憶機能を拡張するためのＨＤＤ（ハードディスク）等とを備えたものが使用されている。このようなハードディスクと第一の電子機器とは、アダプタ（接続装置）を介して接続される場合がある。
このアダプタには、ハードディスクに接続される電源コネクタ、ＩＤＥ（Ｉｎｔｅｇｒａｔｅｄ  Ｄｅｖｉｃｅ  Ｅｌｅｃｔｒｏｎｉｃｓ）コネクタ、第一の電子機器に接続される接続コネクタ等の複数のコネクタが設けられている。これらのコネクタを完全に固定した場合には、取り付け位置のずれにより、アダプタとハードディスクとの接続や、アダプタと第一の電子機器との接続が困難となる可能性がある。
そこで、従来から、アダプタでは、図１２に示すようなコネクタユニット８を採用している。このコネクタユニット８は、コネクタ８０が実装された基板８１を断面略Ｚ字形に形成された可動板８２上に固定ビス８３により固定し、この基板８１と可動板８２との間に形成された隙間にベース部材８４を差込んだ構造となっている。ベース部材８４と基板８１及び可動板８２とは段付きのビス８５により固定されており、基板８１及び可動板８２にはビス８５の段部８５１と略同じ径寸法の孔が形成されている。一方、ベース部材８４には、ビス８５の段部８５１よりも径の大きな孔８４１が形成されている。ビス８５の段部８５１と、孔８４１との間には隙間が形成されるので、ベース部材８４に対し、可動板８２及び基板８１を摺動させることができ、これにより、基板８１に実装されたコネクタ８０の位置を調整することができる。
しかしながら、このような従来のアダプタは、ベース部材８４、可動板８２と多くの部材を必要とし、また、構造が複雑であるという問題がある。
本発明の目的は、部材点数を削減することができ、構造が簡素である接続装置、コネクタユニット、コネクタ、電子機器を提供することである。
【発明の開示】
本発明の接続装置は以下の（１）又は（２）の構成をとることができる。
（１）電子機器と、この電子機器に接続される他の電子機器とを複数のコネクタを介して相互に接続する接続装置であって、前記複数のコネクタのうち、少なくとも何れか一つのコネクタが取り付けられるベース部材と、このベース部材に取り付けられる前記コネクタに形成された受け部に取り付けられ、前記ベース部材に係合する係合部材とを備え、前記受け部及び前記係合部材のうち少なくとも何れか一方には、前記ベース部材の孔に挿入され、径寸法がこの孔の径寸法より小さく、かつ、前記孔への挿入方向に沿った長さ寸法が前記ベース部材の厚さ寸法よりも大きい遊嵌部が形成されており、この遊嵌部は、前記受け部に係合部材を取り付けた際に、前記ベース部材に対して前記コネクタを遊嵌状態で保持することを特徴とする。
この構成の本発明では、ベース部材に取り付けられるコネクタの受け部及び係合部材のうち少なくとも何れか一方には、ベース部材の孔に挿入され、径寸法がこの孔の径寸法より小さく、かつ、孔への挿入方向に沿った長さ寸法がベース部材の厚さ寸法よりも大きい遊嵌部が形成されており、ベース部材に対してコネクタは遊嵌状態で保持されているので、ベース部材に対するコネクタの取り付け位置を自在に調整することができる。
また、遊嵌部は、孔への挿入方向に沿った長さ寸法がベース部材の厚さ寸法よりも大きいため、コネクタとベース部材とが密着せず、両者間に隙間が形成されることとなる。そのため、コネクタのベース部材に対する取付位置の調整を容易に行うことができる。
さらに、本発明の接続装置は、コネクタがベース部材に直接取り付けられた構造となっており、可動板に固定された基板にコネクタを取付け、可動板と基板との間にベース部材を配置して、このベース部材に対し可動板を動かすことにより、コネクタの取付位置を調整する従来の接続装置に比べ、部材点数を削減することができ、また、構造が簡素化されたものとなる。
この際、前記係合部材は、前記受け部に螺合により取り付けられ、この受け部に螺合する螺合軸部を備え、前記遊嵌部は、この螺合軸部の挿入方向基端側に設けられるとともに、前記螺合軸部よりも大きな径を有するものであることが好ましい。
本発明では、従来から使用されているコネクタに係合部材と螺合する受け部、例えば、ねじ孔を形成すればよく、コネクタを特殊な形状に成形する必要がないので、コストの増加を防止することができる。
また、前記係合部材は、前記受け部に螺合により取り付けられ、前記遊嵌部は、前記コネクタに設けられるとともに、前記ベース部材の孔に挿入され、この孔から突出する突出部であってもよい。
本発明では、コネクタに設けられた突出部（遊嵌部）をベース部材の孔に挿入することで、コネクタがベース部材に取り付けられるため、ベース部材に対するコネクタの取付位置を容易に決定することができる。
（２）本発明の接続装置は、電子機器と、この電子機器に接続される他の電子機器とを複数のコネクタを介して相互に接続する接続装置であって、前記複数のコネクタのうち、少なくとも何れか一つのコネクタが取り付けられるベース部材を備え、このベース部材の前記コネクタが取り付けられるコネクタ取付面部には、その端部から内側に向かって切り込まれた切込部が形成され、前記ベース部材に取り付けられるコネクタは、ベース部材のコネクタ取付面部の表面側に位置するハウジング本体と、このハウジング本体に設けられ、前記コネクタ取付面部の端部側から前記切込部に挿入される挿入部とを備え、前記挿入部は、前記ハウジング本体からコネクタ取付面部と略直交する方向に延びて前記切込部を貫通する挿入部本体と、この挿入部本体の延出方向先端側に設けられ、前記ベース部材のコネクタ取付面部の裏面で係合する係合部とを備え、前記挿入部本体の延出方向と直交する幅寸法は、前記切込部の切込方向と直交する幅寸法よりも小さく、前記挿入部本体の延出方向の長さ寸法は、前記ベース部材のコネクタ取付面部の厚さ寸法よりも大きいことを特徴とする。
本発明によれば、コネクタの挿入部は、ベース部材の切込部の端部側から切込部に挿入されている。また、コネクタ取付面部の切込部を貫通して延びる挿入部本体の延出方向と直交する幅寸法（切込部の切込方向と直交する方向に沿った幅寸法）は、切込部の切込方向と直交する幅寸法よりも小さくなっている。そのため、ベース部材の切込部の切込方向及び切込方向と直交する方向に沿ってコネクタをずらすことができ、ベース部材に対するコネクタの取付位置を調整することができる。
また、コネクタ取付面部の切込部を貫通する挿入部本体の延出方向の長さ寸法は、コネクタ取付面部の厚さ寸法よりも大きいため、コネクタの係合部とコネクタ取付面部の裏面との間、ハウジング本体とコネクタ取付面部の表面との間に隙間が形成されることとなる。このように、コネクタとベース部材のコネクタ取付面部とが密着しないため、コネクタの取付位置の調整を容易に行うことができる。
さらに、本発明の接続装置は、コネクタがベース部材に直接取り付けられた構造となっており、可動板に固定された基板にコネクタを取付け、可動板と基板との間にベース部材を配置して、このベース部材に対し可動板を動かすことにより、コネクタの取付位置を調整する従来の接続装置に比べ、部材点数を削減することができ、また、構造が簡素化されたものとなる。
本発明では、前記ベース部材は、前記コネクタ取付面部から面外方向に折り返された折り返し面部を有し、前記切込部は、前記コネクタ取付面部及び前記折り返し面部の稜線から一方の端部が前記コネクタ取付面部内側に切り込まれ、他方の端部が前記折り返し面部に達するとともに、折り返し面部での切込方向に直交する幅寸法が前記コネクタ取付面部に切込まれた一方の端部の幅寸法よりも大きくなっており、前記コネクタの挿入部は、前記切込部の前記折り返し面部側から挿入され、前記コネクタは、前記折り返し面部と当接し、装着されたコネクタがベース部材から脱落することを防止する脱落防止部を備えていることが好ましい。
本発明によれば、切込部の折り返し面部での切込方向に直交する幅寸法は、コネクタ取付面部に切込まれた一方の端部の幅寸法よりも大きくなっているため、コネクタの挿入部を折り返し面部側から容易に挿入することができる。また、コネクタは、折り返し面部と当接する脱落防止部を備えているので、コネクタをベース部材に確実に取り付けることができる。
この際、前記挿入部及び脱落防止部は、前記ハウジング本体に一体的に形成されていることが好ましい。
挿入部、脱落防止部をハウジング本体に一体的に形成することで、部材点数の削減を図ることができる。
この際、前記複数のコネクタは、前記ベース部材の同一面側に配置されていることが好ましい。
複数のコネクタをベース部材の同一面側に取り付けることで、本発明の接続装置を介して接続される電子機器及び他の電子機器を接続装置の一方の側に配置することができる。
さらに、本発明では、前記複数のコネクタのうち、少なくとも一つのコネクタは、その取付位置が固定されていることが好ましい。
少なくとも一つのコネクタの位置を固定することで、この固定されたコネクタの位置を基準として、接続装置と、電子機器及び他の電子機器とを接続することができる。これにより、接続装置と、電子機器及び他の電子機器との接続を行いやすくすることができる。
本発明のコネクタユニットは、コネクタと、このコネクタが取り付けられるベース部材とを備えたコネクタユニットであって、前記コネクタに形成された受け部に取り付けられ、前記ベース部材に係合する係合部材を備え、前記受け部及び前記係合部材のうち少なくとも何れか一方には、前記ベース部材の孔に挿入され、径寸法がこの孔の径寸法より小さく、かつ、前記孔への挿入方向に沿った長さ寸法が前記ベース部材の厚さ寸法よりも大きい遊嵌部が形成されており、この遊嵌部は、前記受け部に係合部材を取り付けた際に、前記ベース部材に対して前記コネクタを遊嵌状態で保持することを特徴とする。
本発明では、コネクタの受け部及び係合部材のうち少なくとも何れか一方には、ベース部材の孔に挿入され、径寸法がこの孔の径寸法より小さく、かつ、孔への挿入方向に沿った長さ寸法がベース部材の厚さ寸法よりも大きい遊嵌部が形成されており、ベース部材に対してコネクタは遊嵌状態で保持されているので、ベース部材に対するコネクタの取り付け位置を自在に調整することができる。
また、遊嵌部は、孔への挿入方向に沿った長さ寸法がベース部材の厚さ寸法よりも大きいため、コネクタとベース部材とが密着せず、両者間に隙間が形成されることとなる。そのため、コネクタのベース部材に対する取付位置の調整を容易に行うことができる。
さらに、本発明のコネクタユニットでは、コネクタがベース部材に直接取り付けられた構造となっており、可動板に固定された基板にコネクタを取付け、可動板と基板との間にベース部材を配置して、このベース部材に対し可動板を動かすことにより、コネクタの取付位置を調整する従来のコネクタユニットに比べ、部材点数を削減することができ、また、構造が簡素化されたものとなる。
また、本発明のコネクタユニットは、コネクタと、このコネクタが取り付けられるベース部材とを備えたコネクタユニットであって、前記ベース部材は、前記コネクタが取り付けられるコネクタ取付面部を有し、このコネクタ取付面部には、その端部から内側に向かって切り込まれた切込部が形成され、前記コネクタは、ベース部材に取り付けられた際にコネクタ取付面部の表面側に位置するハウジング本体と、このハウジング本体に設けられ、前記コネクタ取付面部の端部側から前記切込部に挿入される挿入部とを備え、前記挿入部は、前記ハウジング本体からコネクタ取付面部と略直交する方向に延びて前記切込部を貫通する挿入部本体と、この挿入部本体の延出方向先端側に設けられ、前記ベース部材のコネクタ取付面部の裏面で係合する係合部とを備え、前記挿入部本体の延出方向と直交する幅寸法は、前記切込部の切込方向と直交する幅寸法よりも小さく、前記挿入部本体の延出方向の長さ寸法は、前記ベース部材のコネクタ取付面部の厚さ寸法よりも大きいことを特徴とする。
本発明によれば、コネクタの挿入部は、ベース部材の切込部の端部側から切込部に挿入されている。また、コネクタ取付面部の切込部を貫通して延びる挿入部本体の延出方向と直交する幅寸法（切込部の切込方向と直交する方向に沿った幅寸法）は、切込部の切込方向と直交する幅寸法よりも小さくなっている。そのため、ベース部材の切込部の切込方向及び切込方向と直交する方向に沿ってコネクタをずらすことができ、ベース部材に対するコネクタの取付位置を調整することができる。
また、コネクタ取付面部の切込部を貫通する挿入部本体の延出方向の長さ寸法は、コネクタ取付面部の厚さ寸法よりも大きいため、コネクタの係合部とコネクタ取付面部の裏面との間、ハウジング本体とコネクタ取付面部の表面との間に隙間が形成されることとなる。このように、コネクタとベース部材のコネクタ取付面部とが密着しないため、コネクタの取付位置の調整を容易に行うことができる。
さらに、本発明のコネクタユニットは、コネクタがベース部材に直接取り付けられた構造となっており、可動板に固定された基板にコネクタを取付け、可動板と基板との間にベース部材を配置して、このベース部材に対し可動板を動かすことにより、コネクタの取付位置を調整する従来のコネクタユニットに比べ、部材点数を削減することができ、また、構造が簡素化されたものとなる。
本発明のコネクタは、ベース部材に取り付けられるコネクタであって、前記コネクタが取り付けられる前記ベース部材のコネクタ取付面部の表面側に位置するハウジング本体と、このハウジング本体に設けられ、前記コネクタ取付面部の端部側からこのコネクタ取付面部に形成された切込部に挿入される挿入部とを備え、前記挿入部は、前記ハウジング本体から、コネクタ取付面部と直交する方向に延びて前記切込部を貫通する挿入部本体と、この挿入部本体の延出方向先端側に設けられ、前記ベース部材のコネクタ取付面部の裏面で係合する係合部とを備え、前記挿入部本体の延出方向と直交する幅寸法は、前記切込部の切込方向と直交する幅寸法よりも小さく、前記挿入部本体の延出方向の長さ寸法は、前記ベース部材のコネクタ取付面部の厚さ寸法よりも大きいことを特徴とする。
本発明によれば、コネクタは、ベース部材の切込部の端部側から切込部に挿入される挿入部を備え、また、この挿入部の挿入部本体は、コネクタ取付面部と直交して切込部を貫通する方向に延びており、その延出方向と直交する幅寸法（切込部の切込方向と直交方向に沿った幅寸法）は、切込部の切込方向と直交する幅寸法よりも小さくなっている。そのため、このようなコネクタをベース部材に取り付けた際には、ベース部材の切込部の切込方向及び切込方向と直交する方向にコネクタの位置をずらすことができ、ベース部材に対するコネクタの取付位置を調整することができる。
また、コネクタ取付面部の切込部を貫通する挿入部本体の延出方向の長さ寸法は、コネクタ取付面部の厚さ寸法よりも長いため、コネクタの係合部とコネクタ取付面部の裏面との間、ハウジング本体とコネクタ取付面部の表面との間に隙間が形成されることとなる。このように、コネクタと、ベース部材のコネクタ取付面部とが密着しないため、コネクタの取付位置を容易に調整することができる。
さらに、本発明のコネクタは、直接ベース部材に取り付けられるものである。そのため、従来のようにコネクタを基板に取付け、さらにこの基板を可動板に固定し、この可動板と基板との間にベース部材を配置する必要はなく、本発明のコネクタを使用すれば、部材点数を削減でき、また、構造を簡素化できる。
本発明の電子機器としては、以上のようなコネクタユニットを備えたものを提案できる。すなわち、本発明の電子機器は、コネクタと、このコネクタが取り付けられるベース部材とを有するコネクタユニットを備えた電子機器であって、前記コネクタユニットは、前記コネクタに形成された受け部に取り付けられ、前記ベース部材に係合する係合部材とを備え、前記受け部及び前記係合部材のうち少なくとも何れか一方には、前記ベース部材の孔に挿入され、径寸法がこの孔の径寸法より小さく、かつ、前記孔への挿入方向に沿った長さ寸法が前記ベース部材の厚さ寸法よりも大きい遊嵌部が形成されており、この遊嵌部は、前記受け部に係合部材を取り付けた際に、前記ベース部材に対して前記コネクタを遊嵌状態で保持することを特徴とする。
また、本発明の電子機器は、コネクタと、このコネクタが取り付けられるベース部材とを有するコネクタユニットを備えた電子機器であって、前記コネクタユニットのベース部材は、前記コネクタが取り付けられるコネクタ取付面部を有し、このコネクタ取付面部には、その端部から内側に向かって切り込まれた切込部が形成され、前記コネクタは、ベース部材に取り付けられた際にコネクタ取付面部の表面側に位置するハウジング本体と、このハウジング本体に設けられ、前記コネクタ取付面部の端部側から前記切込部に挿入される挿入部とを備え、前記挿入部は、前記ハウジング本体からコネクタ取付面部と略直交する方向に延びて前記切込部を貫通する挿入部本体と、この挿入部本体の延出方向先端側に設けられ、前記ベース部材のコネクタ取付面部の裏面で係合する係合部とを備え、前記挿入部本体の延出方向と直交する幅寸法は、前記切込部の切込方向と直交する幅寸法よりも小さく、前記挿入部本体の延出方向の長さ寸法は、前記ベース部材のコネクタ取付面部の厚さ寸法よりも大きいものであってもよい。
以上のような本発明の電子機器は、上述したコネクタユニットを備えたものであるため、コネクタの取付位置を容易に調整でき、部材点数の削減及び構造の簡素化を図ることができる。
【図面の簡単な説明】  図１は、本発明の実施形態にかかるエンタテインメント装置を示す斜視図である。
図２は、接続装置と、ＨＤＤとを示す斜視図である。
図３は、前記接続装置の分解斜視図である。
図４は、前記接続装置の要部を示す分解斜視図である。
図５は、前記接続装置の要部の断面図である。
図６は、前記接続装置をベース部材の長手方向に沿って切断した場合の断面図である。
図７は、前記接続装置をベース部材の第二折り返し面部側からみた平面図である。
図８は、前記接続装置の要部の断面図である。
図９は、前記接続装置をベース部材の第二折り返し面部側からみた斜視図である。
図１０は、接続装置の変形例を示す平面図である。
図１１は、接続装置の変形例を示す模式図である。
図１２は、従来の接続装置の構成を示す断面図である。
【発明を実施するための最良の形態】  以下に、本発明の実施形態を図面に基づいて説明する。
図１には、電子機器であるエンタテインメント装置１が示されている。このエンタテインメント装置１は、光ディスク等に記録されたゲームプログラムを読み出し、使用者からの指示に応じてゲームを実行する機能や、映像、音楽等が記録された光ディスクを再生する機能を有する。エンタテインメント装置１は、図示しないディスク装置、ＣＰＵ（Ｃｅｎｔｒａｌ  Ｐｒｏｃｅｓｓｉｎｇ  Ｕｎｉｔ）、コントローラスロット、メモリスロット、主電源スイッチ等を備えたエンタテインメント装置本体としての第一の電子機器１０と、第二の電子機器（他の電子機器）であるＨＤＤ１２と、このＨＤＤ１２と第一の電子機器１０とを相互に接続するアダプタ（接続装置）２とを備えている。
第一の電子機器１０は、筐体１１を備えている。この筐体１１は、平面矩形形状、かつ、断面略Ｌ字型形状に形成されており、底面部（図示略）、この底面部に対向配置される上面部１１２、底面部及び上面部１１２の端縁間に配置される一対の側面部１１３、前面部（図示略）、背面部１１４とを備えている。
背面部１１４には、図示しないが、光ディスクに記録されている映像信号、音声信号等の各種信号を、テレビ等の表示装置に出力するための映像音声出力端子や、外部の機器との通信を行うための通信端子、外部電源から第一の電子機器１０に電力を供給するための電力供給用端子であるＡＣインレット、外部電源からの電力の供給を操作する主電源スイッチ等が設けられている。
また、背面部１１４には、排気口１１４Ａが形成されており、この排気口１１４Ａの内側には、排気ファン１１５が配置されている。
さらに、背面部１１４の排気口１１４Ａの隣りには、ＨＤＤ１２を挿入するための挿入口１１４Ｂが形成されている。
挿入口１１４Ｂの内側には、挿入口１１４Ｂ側が開口したシールド用の金属製の筐体１１４Ｃが配置され、この筐体１１４Ｃ内にＨＤＤ１２が収納される。また、挿入口１１４Ｂの上部（上面部１１２側）には、アダプタ２の接続用雄型コネクタ３４（後述）に接続される接続用雌型コネクタ１１４Ｄが取り付けられている。
ＨＤＤ１２は、第一の電子機器１０によるゲームの進行状況を保存したり、第一の電子機器１０がインターネット接続されている場合に、サーバ等からダウンロードしたゲーム等を記録保存するものである。ＨＤＤ１２の挿入口１１４Ｂへの挿入方向後端側の背面部には、図示しないがＩＤＥ（Ｉｎｔｅｇｒａｔｅｄ  Ｄｅｖｉｃｅ  Ｅｌｅｃｔｒｏｎｉｃｓ）用雌型コネクタ、電源用雌型コネクタが設けられている。
ＩＤＥ用雌型コネクタは４０ピン型のものであり、電源用雌型コネクタは、４ピン型のものである。これらのコネクタは、アダプタ２に設けられたコネクタ３２，３３（後述）に接続される。アダプタ２を介してＨＤＤ１２が第一の電子機器１０に接続されると、第一の電子機器１０からの電源供給や、ＨＤＤ１２及び第一の電子機器１０間のデータ転送を行うことが可能となる。
アダプタ２は、図２及び図３に示すように、アダプタ本体（コネクタユニット）３と、このアダプタ本体３を収納するケース４とを備えている。
ケース４は、アダプタ本体３を収納するための開口が形成されたケース本体４１と、ケース本体４１の開口に取り付けられる蓋部材４２とを備えている。
ケース本体４１は、開口と対向した面に配置される平面矩形形状の背面と、この背面の周縁から立ち上がって設けられる立上面とを備えている。
蓋部材４２は、アルミ等の金属で形成されており、ケース本体４１の開口を塞ぐ表面部を備えている。この表面部にはアダプタ本体３の電源用雄型コネクタ３２、ＩＤＥ用雄型コネクタ３３、接続用雄型コネクタ３４を露出させるための孔４２１〜４２３が形成されている。電源用雄型コネクタ３２を露出させるための孔４２１及びＩＤＥ用雄型コネクタ３３を露出させるための孔４２２は、その長手方向に沿って並んで配置されており、また、接続用雄型コネクタ３４を露出させるための孔４２３は、電源用雄型コネクタ３２の孔４２１の図面上部に設けられている。
アダプタ本体３は、図３及び図４に示すように、基板３１と、前述した３つのコネクタ３２〜３４と、３つのコネクタ３２〜３４のうち、電源用雄型コネクタ３２、ＩＤＥ用雄型コネクタ３３が取り付けられるベース部材３５と、係合部材３６を備えている。
基板３１上には、接続用雄型コネクタ３４が実装されており、また、第一の電子機器１０からＨＤＤ１２への電源供給を行うための回路や、第一の電子機器１０とＨＤＤ１２間のデータ転送を行うための回路が実装されている。
なお、接続用雄型コネクタ３４は、基板３１上に取付位置が固定されたものとなっている。また、接続用雄型コネクタ３４の蓋部材４２の孔４２３から露出する部分は、アダプタ２を電子機器１０及びＨＤＤ１２に接続する際に、アダプタ２の上方から見て確認することができる。すなわち、接続用雄型コネクタ３４は、他のコネクタ３２，３３に比べ、アダプタ２の接続の際に、見やすい位置に配置されている。
ベース部材３５は、矩形形状の金属の板を折り曲げることで形成されたものである。図４にも示すように、ケース本体４１の背面と略平行に延び、蓋部材４２に固定される固定部３５１と、この固定部３５１から蓋部材４２側に略直角に折り返された第一折り返し面部３５２と、この第一折り返し面部３５２に直交して設けられ、固定部３５１と略平行に延びるコネクタ取付面部３５３と、このコネクタ取付面部３５３の先端からこのコネクタ取付面部３５３の面外方向（ケース本体４１の背面側）に略直角に折り返された第二折り返し面部３５４とを備えている。
固定部３５１は平面矩形形状であり、その長手方向両端部に蓋部材４２側に突出した突辺部３５１Ａを備えている。この突辺部３５１Ａには孔が形成されており、この孔にベース部材３５を蓋部材４２に固定するためのビス（図示略）が挿入される。
コネクタ取付面部３５３は、平面矩形形状であり、その長手方向に沿って電源用雄型コネクタ３２、ＩＤＥ用雄型コネクタ３３が並んで取り付けられる。ＩＤＥ用雄型コネクタ３３が取り付けられる部分には、ＩＤＥ用雄型コネクタ３３の突出部（後述）に応じた位置に一対の円形の孔３５３Ａが形成されている。
また、コネクタ取付面部３５３の電源用雄型コネクタ３２が取り付けられる部分には、一対の切込部３５３Ｂが形成されている。この切込部３５３Ｂは、コネクタ取付面部３５３の短辺方向の一方の端部（コネクタ取付面部３５３と第二折り返し面部３５４との稜線）からコネクタ取付面部３５３内側に向かって切り込まれており、切込部３５３Ｂの一方の端部は、固定部３５１まで達している。コネクタ取付面部３５３及び第一折り返し面部３５２における切込部３５３Ｂの切込方向は、これらのコネクタ取付面部３５３及び第一折り返し面部３５２の短辺方向に沿ったものとなっている。また、切込部３５３Ｂの他方の端部は、第二折り返し面部３５４まで達している。
この切込部３５３Ｂの切込方向と直交する方向の幅寸法は、固定部３５１からコネクタ取付面部３５３にかけて略等しくなっているが（幅寸法Ｌ１）、コネクタ取付面部３５３の前記稜線付近部分及び第二折り返し面部３５４に形成された部分の幅寸法Ｌ２は前記幅寸法Ｌ１よりも大きくなっている。ここで、切込部３５３Ｂのうち、第二折り返し面部３５４に形成された部分及びコネクタ取付面部３５３の前記稜線付近部分を幅広部３５３Ｂ１、他の部分を幅狭部３５３Ｂ２とする。
図５、図６をも参照してＩＤＥ用雄型コネクタ３３について説明する。図５は、ＩＤＥ用雄型コネクタ３３をベース部材３５に取り付けた状態において、ベース部材３５の短辺方向に沿って切断した断面図である。図６は、ＩＤＥ用雄型コネクタ３３をベース部材３５に取り付けた状態において、ベース部材３５の長手方向に沿って切断した断面図である。
ＩＤＥ用雄型コネクタ３３は、端子（図示略）と、この端子が収納されたハウジング３３１とを備えている。ハウジング３３１は、平面略矩形形状のハウジング本体３３２と、このハウジング本体３３２に設けられた受け部３３３とを備えている。
ハウジング本体３３２は、その短辺方向の一方の端部（先端部）側がＨＤＤ１２のＩＤＥ用雌型コネクタに挿入可能となっており、この先端部側の端面からは端子が露出している。他方の端部側（後端部側）の端面は、ベース部材３５のコネクタ取付面部３５３に当接する当接面となっている。
受け部３３３は、ハウジング本体３３２の長手方向の端部にそれぞれ設けられている。受け部３３３は、ベース部材３５のコネクタ取付面部３５３に当接する受け部本体３３３Ａと、受け部本体３３３Ａからコネクタ取付面部３５３側に突出し、ベース部材３５の孔３５３Ａに挿入される突出部（遊嵌部）３３３Ｂとを備えている。
この受け部本体３３３Ａ及び突出部３３３Ｂには、コネクタ３３をベース部材３５に係合するための係合部材３６が取り付けられる。本実施形態では、係合部材３６は、螺合軸部３６１と、この螺合軸部３６１の螺合方向基端側に設けられた頭部３６２とを備えたねじである。受け部本体３３３Ａ及び突出部３３３Ｂには螺合軸部３６１が螺合されるねじ孔が形成されている。
突出部３３３Ｂの径寸法Ｌ３は、ベース部材３５の孔３５３Ａの径寸法Ｌ４よりも小さい。また、突出部３３３Ｂの孔３５３Ａへの挿入方向に沿った寸法Ｌ５は、ベース部材３５のコネクタ取付面部３５３の厚さ寸法よりも大きくなっており、突出部３３３Ｂは、コネクタ取付面部３５３の孔３５３Ａから突出している。このような突出部３３３Ｂは、受け部３３３に係合部材３６を取り付けた際にベース部材３５に対してコネクタ３３を遊嵌状態で保持することとなる。
以上のようなＩＤＥ用雄型コネクタ３３をベース部材３５に取り付ける際には、ＩＤＥ用雄型コネクタ３３の突出部３３３Ｂをベース部材３５の孔３５３Ａに挿入し、その後、係合部材３６を受け部３３３に挿入する。この際、図４及び図６では図示しなかったが、図５に示すように、ハウジング３３１のコネクタ取付面部３５３との当接面にフレキシブル基板Ｆを取り付けておく。具体的には、このフレキシブル基板Ｆに、ベース部材３５の孔３５３Ａと略同じ径の孔を形成しておき、この孔に突出部３３３Ｂを挿入することで、ハウジング３３１にフレキシブル基板Ｆを取り付ける。このフレキシブル基板Ｆには、基板３１に接続可能な接続部Ｆ１を取り付けておき、これを基板３１に接続することで、基板３１からの電源の供給が行えるようになる。
次に、図４及び図７〜図９を参照して、電源用雄型コネクタ３２について説明する。図７は、電源用雄型コネクタ３２をベース部材３５に取り付け、これを第二折り返し面部３５４側から見た平面図である。図８は、電源用雄型コネクタ３２をベース部材３５に取り付けた状態において、ベース部材３５の短辺方向に沿って切断した断面図である。図９は、電源用雄型コネクタ３２をベース部材３５に取り付け、これを第二折り返し面部３５４側から見た斜視図である。
この電源用雄型コネクタ３２は、端子と、この端子を収納するハウジング３２１とを備えている。
ハウジング３２１は、平面略矩形形状のハウジング本体３２２と、ハウジング本体３２２に設けられた挿入部３２３とを備えている。
ハウジング本体３２２は、コネクタ３２をベース部材３５に取り付けた際に、コネクタ取付面部３５３の表面側に位置する。また、その短辺方向の一方の端部（先端部）の端面からは端子が露出しており、この先端部側はＨＤＤ１２の電源用雌型コネクタに挿入可能となっている。
ハウジング本体３２２の長手方向の端部には、この端部から突出し、ベース部材３５のコネクタ取付面部３５３と略平行に延びる延出部３２２Ａが形成されている。
挿入部３２３は平面略Ｌ字型形状であり、ハウジング本体３２２に一体的に成形されている。この挿入部３２３は、コネクタ３２をベース部材３５に取り付ける際に、ベース部材３５の第二折り返し面部３５４側から切込部３５３Ｂに挿入されるものである。挿入部３２３は、延出部３２２Ａの先端から、コネクタ取付面部３５３と直交する方向に延びて切込部３５３Ｂを貫通する挿入部本体３２３Ａと、この挿入部本体３２３Ａの延出方向先端側に設けられた係合部３２３Ｂとを備えている。
挿入部本体３２３Ａは、図７に示すように、その延出方向と直交する方向の幅寸法Ｌ６が、切込部３５３Ｂの幅狭部３５３Ｂ２の切込方向と直交する方向の幅寸法Ｌ７よりも小さなものとなっている。
また挿入部本体３２３Ａの延出方向の長さ寸法Ｌ８は、コネクタ取付面部３５３の厚さ寸法Ｌ９よりも長いものとなっている。さらに、図８に示すように、挿入部本体３２３Ａのコネクタ取付面部３５３の短辺方向に沿った高さ寸法は、コネクタ取付面部３５３の短辺方向の長さ寸法よりも低いものとなっている。
係合部３２３Ｂは、図７に示すように、ベース部材３５のコネクタ取付面部３５３の裏面に係合し、コネクタ取付面部３５３を挟んで延出部３２２Ａと対向している。前述したように、係合部３２３Ｂ及び延出部３２２Ａ間を結ぶ挿入部本体３２３Ａの延出方向の長さ寸法Ｌ８は、コネクタ取付面部３５３の厚さ寸法Ｌ９よりも長いものとなっているため、係合部３２３Ｂと、コネクタ取付面部３５３を挟んでこの係合部３２３Ｂと対向する延出部３２２Ａとの間の寸法は、ベース部材３５のコネクタ取付面部３５３の厚さ寸法よりも大きくなっている。
また、図８に示すように、係合部３２３Ｂの切込部３５３Ｂへの挿入方向先端側には、突起３２３Ｄが形成されている。この突起３２３Ｄは、挿入部３２３を切込部３５３Ｂに挿入した際に、第一折り返し面部３５２の裏面に当接するものである。
さらに、図８及び図９に示すように、係合部３２３Ｂの係合面の裏面には、弾性変形可能な脱落防止部３２３Ｃが設けられている。この脱落防止部３２３Ｃは、係合部３２３Ｂと一体成形されており、係合部３２３Ｂの裏面から第二折り返し面部３５４側に向かって延びている。脱落防止部３２３Ｃは、コネクタ３２を第二折り返し面部３５４側に移動させた際に、第二折り返し面部３５４に当接し、コネクタ３２がベース部材３５から脱落することを防止している。
なお、この脱落防止部３２３Ｃの延出方向先端と、前記突起３２３Ｄの先端との間の寸法Ｌ１０は、第一折り返し面部３５２と第二折り返し面部３５４間の寸法Ｌ１１よりも小さなものとなっている。
このようなＩＤＥ用雄型コネクタ３３をベース部材３５に取り付ける際には、ベース部材３５の第二折り返し面部３５４側から切込部３５３Ｂに、挿入部３２３を挿入する。この際、係合部３２３Ｂの脱落防止部３２３Ｃは、弾性変形可能となっているため、第二折り返し面部３５４に形成された切込部３５３Ｂの周縁により、係合部３２３Ｂの係合面側に付勢されながら切込部３５３Ｂに挿入される。切込部３５３Ｂ内に完全に挿入されると、切込部３５３Ｂの周縁による付勢が解除される。そのため、コネクタ３２を第二折り返し面部３５４側に移動させた際には、脱落防止部３２３Ｃが第二折り返し面部３５４に当接するようになり、コネクタ３２がベース部材３５に確実に取り付けられるようになる。
このような本実施形態によれば、以下の効果を奏することができる。
（１）ベース部材３５の孔３５３Ａに挿入されたＩＤＥ用雄型コネクタ３３の受け部３３３の突出部３３３Ｂの径寸法Ｌ３は、孔３５３Ａの径寸法Ｌ４よりも小さく、また、突出部３３３Ｂの孔３４３Ａへの挿入方向に沿った寸法Ｌ５は、ベース部材３５のコネクタ取付面部３５３の厚さ寸法よりも大きい。そのため、ベース部材３５のコネクタ取付面部３５３に対し、ＩＤＥ用雄型コネクタ３３は遊嵌状態で保持されることとなり、ベース部材３５に対するＩＤＥ用雄型コネクタ３３取り付け位置を自在に調整することができる。
（２）また、突出部３３３Ｂの孔３４３Ａへの挿入方向に沿った寸法Ｌ５は、ベース部材３５のコネクタ取付面部３５３の厚さ寸法よりも大きいため、コネクタ３３のハウジング本体３３２と、コネクタ取付面部３５３とが密着せず、両者間に隙間が形成されることとなるので、コネクタ３３のコネクタ取付面部３５３に対する取付位置の調整を容易に行うことができる。
（３）ＩＤＥ用雄型コネクタ３３及び電源用雄型コネクタ３２は、ベース部材３５に直接取り付けられており、図１２に示すような可動板８２に固定された基板８１にコネクタ８０を取付け、可動板８２と基板８１との間にベース部材８４を配置して、このベース部材８４に対し可動板８２を動かすことにより、コネクタ８０の取付位置を調整する従来の接続装置に比べ、部材点数の削減を図ることができ、また、構造を簡素化することができる。
（４）ＩＤＥ用雄型コネクタ３３の受け部３３３には、突出部３３３Ｂが設けられており、この突出部３３３Ｂをベース部材３５の孔３５３Ａに挿入することで、コネクタ３３がベース部材３５に取り付けられるため、ベース部材３５に対するコネクタ３３の取付位置を容易に決定することができる。
（５）さらに、ＩＤＥ用のコネクタは４０ピンタイプのものであり、ピン数が多いため、雄型コネクタと、雌型コネクタの嵌合を解除する際に、ＩＤＥ用雄型コネクタ３３と、係合部材３６との係合部分には大きな力がかかる。本実施形態では、ＩＤＥ用雄型コネクタ３３と係合部材３６とを螺合により係合しているため、このような大きな力がかかった場合でも、係合部材３６がＩＤＥ用雄型コネクタ３３から外れてしまうことを防止できる。
（６）電源用雄型コネクタ３２の脱落防止部３２３Ｃの延出方向先端と、突起３２３Ｄの先端間の寸法Ｌ１０は、第一折り返し面部３５２と第二折り返し面部３５４間の寸法Ｌ１１よりも小さなものとなっており、また、挿入部本体３２３Ａの高さ寸法は、コネクタ取り付け面部３５３の短辺方向の長さ寸法（切込部３５３Ｂのうち、コネクタ取付面部３５３に形成された部分の切込方向の寸法）よりも短いものとなっている。
さらに、挿入部３２３の挿入部本体３２３Ａの延出方向と直交する幅寸法Ｌ６は、切込部３５３Ｂの幅狭部３５３Ｂ２の切込方向と直交する幅寸法Ｌ７よりも小さくなっている。そのため、切込部３５３Ｂのうち、コネクタ取り付け面部３５３に形成された部分内において、コネクタ３２の挿入部３２３を切込方向及び切込方向と直交する方向（図９のＸ軸方向及びＹ軸方向）に動かすことができ、コネクタ取り付け面部３５３に対するコネクタ３２の取付位置を調整することができる。
（７）また、コネクタ取付面部３５３の切込部３５３Ｂを貫通して延びる電源用雄型コネクタ３２の挿入部本体３２３Ａの延出方向の長さ寸法Ｌ８は、コネクタ取付面部３５３の厚さ寸法Ｌ９よりも長いものとなっている。そのため、この挿入部本体３２３Ａの基端側に設けられた延出部３２２Ａと、この挿入部本体３２３Ａの先端側に設けられ、コネクタ取付面部３５３を挟んで延出部３２２Ａと対向する係合部３２３Ｂとの間の寸法は、コネクタ取付面部３５３の厚さ寸法よりも大きくなる。これにより、コネクタ３２の係合部３２３Ｂとコネクタ取付面部３５３との間、延出部３２２Ａとコネクタ取付面部３５３との間には隙間が形成されることとなり、コネクタ３２を図９のＺ軸方向に動かすことができる。また、このように、隙間が形成されているので、図９Ｘ軸方向及びＹ軸方向にコネクタ３２を動かす際に、コネクタ３２及びコネクタ取付面部３５３間に摩擦が生じにくくなり、容易にコネクタ３２を動かすことができる。
（８）切込部３５３Ｂは、折り返し面部３５４側に形成された幅広部３５３Ｂ１を備えており、この幅広部３５３Ｂ１側からコネクタ３２の挿入部３２３が挿入されるため、コネクタ３２の挿入部３２３を第二折り返し面部３５４側から容易に挿入することができる。
（９）コネクタ３２は、コネクタ３２を第二折り返し面部３５４側に移動させた際に、第二折り返し面部３５４に当接する脱落防止部３２３Ｃを備えているので、コネクタ３２をベース部材３５に確実に取り付けることができる。
（１０）挿入部３２３、脱落防止部３２３Ｃはハウジング本体３２２に一体的に形成されているので、部材点数の削減を図ることができる。
（１１）アダプタ２に設けられたコネクタ３２〜３４のうち、接続用雄型コネクタ３４はその取付位置が固定されたものとなっている。従って、接続用コネクタ３４を基準として、アダプタ２をＨＤＤ１２及び電子機器１０に接続すればよく、接続用コネクタ３４の位置のみを確認すればよいため、接続を容易に行うことができる。
（１２）さらに、接続用雄型コネクタ３４は、他のコネクタ３２，３３よりも上方に取り付けられており、アダプタ２をＨＤＤ１２及び電子機器１０に接続する際には、接続用雄型コネクタ３４の位置をアダプタ２の上方側からのぞきこめばよく、接続用雄型コネクタ３４の位置を容易に確認することができる。
なお、本発明は前述の実施形態に限定されるものではなく、本発明の目的を達成できる範囲での変形、改良等は本発明に含まれるものである。
例えば、前記実施形態では、ＩＤＥ用雄型コネクタ３３の受け部３３３は突出部３３３Ｂを備えるものとしたが、このような構造に限らず、例えば、図１０に示すように、受け部６８０に突出部が設けられていないものとしてもよい。この場合には、係合部材６７は、受け部６８０に螺合する螺合軸部６７１と、この螺合軸部６７１の挿入方向基端側に設けられ、この螺合軸部６７１の径Ｌ１２よりも大きな径Ｌ１３を備えた遊嵌部６７２と、遊嵌部６７２の挿入方向基端側に設けられる頭部６７３とを備えるものとする。この遊嵌部６７２はコネクタ取付面部３５３に形成された孔３５３Ａに挿入されるものであり、遊嵌部６７２の径Ｌ１３はこの孔３５３Ａの径Ｌ４よりも径が小さく、孔３５３Ａへの挿入方向に沿った長さ寸法Ｌ１４はコネクタ取付面部３５３の厚さ寸法よりも大きいものであることが好ましい。
また、この際、遊嵌部６７２は、螺合軸部６７１に一体成形されていてもよく、また、螺合軸部６７１と別体であってもよい。別体とする場合には、遊嵌部６７２をリング状部等とし、螺合軸部６７１の基端側に取り付けてもよい。
図１０に示すような構造を採用する場合には、従来から使用されているコネクタ６８に係合部材６７と螺合する受け部６８０、例えば、ねじ孔を形成すればよく、コネクタ６８を特殊な形状に成形する必要がないので、コストの増加を防止することができる。
なお、図１０では、遊嵌部６７２の径を螺合軸部６７１の径よりも大きなものとしたが、遊嵌部の径と、螺合軸部の径とを同じ寸法としてもよい。
また、前記実施形態では、電源用雄型コネクタ３２の挿入部３２３を平面略Ｌ字型としたが、このような形状に限らず、たとえば、図１１（Ａ）に示すように、平面略Ｔ字型の挿入部５２３としてもよい。また、図１１（Ｂ）に示すように、挿入部６２３の係合部６２３Ｂを、延出部３２２Ａと対向しないものとしてもよい。何れの場合においても、挿入部本体３２３Ａの延出方向の長さ寸法が、コネクタ取付面部３５３の厚さ寸法よりも長いものである必要がある。
さらに、前記実施形態では、電源用雄型コネクタ３２の挿入部３２３は、ハウジング本体３２２に一体成形されているとしたが、このような構造に限らず、別体であってもよい。
また、前記実施形態では、電源用雄型コネクタ３２は、脱落防止部３２３Ｃを備えるものとしたが、脱落防止部３２３Ｃを備えない構成としてもよい。この場合には、脱落防止部３２３Ｃを形成しないでよいので、電源用雄型コネクタ３２の製造が簡易化される。
さらに、前記実施形態では、アダプタ２は雄型コネクタ３２〜３４を有するものとしたが、これに限らず、雌型のコネクタを有するものとしてもよい。
また、前記実施形態では、アダプタ２に設けられたコネクタを電源用のコネクタ３２、ＩＤＥ用のコネクタ３３、接続用のコネクタ３４としたが、コネクタの種類はこれらに限られず、例えば、ＵＳＢコネクタ、ＳＣＳＩ（Ｓｍａｌｌ  Ｃｏｍｐｕｔｅｒ  Ｓｙｓｔｅｍ  Ｉｎｔｅｒｆａｃｅ）コネクタ等であってもよい。
さらに、前記実施形態では、ベース部材３５に対し、２つのコネクタ３２，３３が取り付けられていたが、ベース部材３５に取り付けられるコネクタを１つとしてもよく、また、３つ以上としてもよい。
さらに、前記実施形態では、アダプタ２のコネクタ３２〜３４のうち、接続用雄型コネクタ３４の取り付け位置を固定し、他のコネクタ３２，３３の取り付け位置を調整可能としたが、これに限らず、接続用コネクタの取付位置を調整可能なものとしてもよい。また、電源用雄型コネクタ、ＩＤＥ用雄型コネクタの取付位置を固定してもよい。
また、前記実施形態では、アダプタ２がコネクタユニット（アダプタ本体３）を有するものとしたが、これに限らず、例えば、第二の電子機器であるＨＤＤ１２に本発明のコネクタユニットを搭載させてもよい。この場合には、ＨＤＤ１２は、ベース部材と、このベース部材に遊嵌状態で取り付けられるＩＤＥ用雌型コネクタ、電源用雌型コネクタとを有するコネクタユニットを備えるものとなる。
さらに、前記実施形態では、第一の電子機器１０をエンタテインメント装置の本体機能を有する電子機器、第二の電子機器をＨＤＤ１２としたがこれに限らず、例えば第一の電子機器をパーソナルコンピュータ、第二の電子機器を携帯電話機とし、接続装置を介して接続され、データ転送等を行うものとしてもよい。
【産業上の利用可能性】  本発明の接続装置は、電子機器と、この電子機器に接続される他の電子機器とを複数のコネクタを介して相互に接続する接続装置に有用である。また、本発明のコネクタ、コネクタユニットはこのような接続装置に利用されるのに適している。さらに、本発明の電子機器は、前述したコネクタユニットを備えたものである。
【図１】
2004084360.tif 000003
【図２】
2004084360.tif 000004
【図３】
2004084360.tif 000005
【図４】
2004084360.tif 000006
【図５】
2004084360.tif 000007
【図６】
2004084360.tif 000008
【図７】
2004084360.tif 000009
【図８】
2004084360.tif 000010
【図９】
2004084360.tif 000011
【図１０】
2004084360.tif 000012
【図１１】
2004084360.tif 000013
【図１２】
2004084360.tif 000014
【国際調査報告】
2004084360.tif 000015
2004084360.tif 000016
2004084360.tif 000017
2004084360.tif 000018
2004084360.tif 000019
2004084360.tif 000020
2004084360.tif 000021